(57)【特許請求の範囲】
【請求項１】
通信システムにおける送信機から複数のターミナルへのブロードキャストデータの通信方法であって、
前記複数のターミナルの各々に対し最大通信データ速度を決定し、
前記決定された最大通信データ速度のうち最小値以外のブロードキャスト通信データ速度を選択する、
ことを含むブロードキャストデータの通信方法。
【請求項２】
前記選択されたブロードキャスト通信データ速度で前記ブロードキャストデータを伝送する、
ことを更に含む前記請求項１記載の通信方法。
【請求項３】
前記の最大通信データ速度を決定することと前記のブロードキャスト通信データ速度を選択することとを周期的に繰り返す、
ことを更に含む前記請求項１記載の通信方法。
【請求項４】
前記の決定することは、前記最大の通信データ速度を決定するために前記複数のターミナル各々から複数の通信データ速度リクエストを取得すること、を含む前記請求項１記載の通信方法。
【請求項５】
前記の、決定された最大通信データ速度のうち最小値以外のブロードキャスト通信データ速度を選択することにより、前記複数のターミナルの所定パーセンテージをブロードキャストデータを受信することから締め出す、前記請求項１記載の通信方法。
【請求項６】
前記複数のターミナルに関し一ターミナルが有する、より高い優先度を示す関連インジケータを、前記所定パーセンテージのターミナルの中で１以上のターミナルが有しているかどうかを決定し、
前記ブロードキャストデータを、前記決定された最大データ通信速度のうち前記最小値で伝送する、
ことを更に含む前記請求項５記載の通信方法。
【請求項７】
通信システムにおける送信機から複数のターミナルへのデータ伝送方法であって、
第一通信データ速度でデータを前記複数のターミナルに伝送し、
前記送信機用の第二通信データ速度を決定し、
前記第二通信データ速度で前記データを伝送する、ことを含み、
前記第二通信データ速度は、前記複数のターミナルの所定の数が前記第二通信データ速度で前記送信機から前記データを受信することから締め出されるように、選択される、
データ伝送方法。
【請求項８】
前記複数のターミナルの各々から複数の通信データ速度リクエストを取得し、
前記複数のターミナルの各々から取得された前記複数の通信データ速度リクエストに少なくとも一部基づく前記第二通信データ速度を選択する、ことを更に含み、
前記通信データ速度リクエストの各々は、前記ターミナルが前記送信機から前記データを受信することが可能である最大通信データ速度を夫々示している、
前記請求項７記載のデータ伝送方法。
【請求項９】
前記複数のターミナルに関し一ターミナルが有する優先度を示すインジケータを、前記複数のターミナルのうちの少なくとも一つに割り当て、
少なくとも１つのターミナルが前記第二通信データ速度で前記データを受信することができず、又その他のターミナルよりも高い優先権を持つ、割り当てられたインジケータを有する場合に、前記第一通信データ速度を使用して前記複数のターミナルに前記データを伝送する、
ことを更に含む前記請求項７記載のデータ伝送方法。
【請求項１０】
通信システムにおける送信機から複数のターミナルへのブロードキャストデータ通信のための装置であって、
前記複数のターミナルの各々に対し最大通信データ速度を決定する手段と、
前記決定された最大通信データ速度のうち最小値以外のブロードキャスト通信データ速度を選択する手段と、
を備える装置。
【請求項１１】
前記選択されたブロードキャスト通信データ速度で前記ブロードキャストデータを伝送する手段を、
更に備える前記請求項１０に記載の装置。
【請求項１２】
前記の最大通信データ速度を決定することと前記のブロードキャスト通信データ速度を選択することとを、周期的に繰り返す手段を、
更に備える前記請求項１０に記載の装置。
【請求項１３】
決定する前記手段は、前記最大通信データ速度を決定するために前記複数のターミナル各々から複数の通信データ速度リクエストを取得する手段を備える、前記請求項１０に記載の装置。
【請求項１４】
決定された最大通信データ速度のうち最小値以外のブロードキャスト通信データ速度を選択する前記手段は、前記複数のターミナルの所定パーセンテージを、前記ブロードキャストデータを受信することから締め出す、前記請求項１０に記載の装置。
【請求項１５】
前記複数のターミナルに関し一ターミナルが有する、より高い優先度を示す関連インジケータを、前記所定パーセンテージのターミナルの中で１以上のターミナルが有しているかどうか、を決定する手段と、
前記ブロードキャストデータを、前記決定された最大データ通信速度のうち前記最小値で伝送する手段と、
を更に備える前記請求項１４に記載の装置。
【請求項１６】
通信システムにおける送信機から複数のターミナルへのデータ伝送を行う装置であって、
第一通信データ速度で前記データを前記複数のターミナルに伝送する手段と、
前記送信機用の第二通信データ速度を決定する手段と、
前記第二通信データ速度で前記データを伝送する手段と、
を備え、
前記第二通信データ速度は、前記複数のターミナルの内の所定の数が前記送信機から前記データを前記第二通信データ速度で受信することから締め出されるように選択される、
装置
【請求項１７】
前記複数のターミナルの各々から複数の通信データ速度リクエストを取得する手段と、
前記複数のターミナルの各々から取得された前記複数の通信データ速度リクエストに少なくとも一部基づく前記第二通信データ速度を選択する手段と、
を更に備え、
前記通信データ速度リクエストの各々は、前記ターミナルが前記送信機から前記データを受信することが可能である最大通信データ速度を夫々示している、
前記請求項１６記載の装置。
【請求項１８】
前記複数のターミナルに関し一ターミナルが有する優先度を示すインジケータを、前記複数のターミナルのうちの少なくとも一つに割り当てる手段と、
少なくとも１つのターミナルは前記第二通信データ速度で前記データを受信することができず、又その他のターミナルよりも高い優先権を持つ、割り当てられたインジケータを有する場合に、前記第一通信データ速度を使用して前記複数のターミナルに前記データを伝送する手段と、
を更に備える前記請求項１６記載の装置。
【請求項１９】
１以上の送信機と、
複数のターミナルと、
前記複数のターミナルの各々に対し最大通信データ速度を決定し、前記決定された最大通信データ速度のうち最小値以外のブロードキャスト通信データ速度を選択するコントローラと、
を備える無線通信システム。
【請求項２０】
前記送信機は、前記選択されたブロードキャスト通信データ速度でブロードキャストデータを伝送する、前記請求項１９に記載の無線通信システム。
【請求項２１】
前記コントローラは、前記の最大通信データ速度を決定することと前記のブロードキャスト通信データ速度を選択することとを周期的に繰り返す、前記請求項１９に記載の無線通信システム。
【請求項２２】
前記コントローラは、前記の最大通信データ速度を決定することのために前記複数のターミナル各々から複数の通信データ速度リクエストを取得する、前記請求項１９に記載の無線通信システム。
【請求項２３】
決定された最大通信データ速度のうち最小値以外のブロードキャスト通信データ速度を選択する前記コントローラは、前記複数のターミナルの所定パーセンテージを前記ブロードキャストデータを受信することから締め出す、前記請求項１９に記載の無線通信システム。
【請求項２４】
前記コントローラは、前記複数ターミナルに関し一ターミナルが有する、より高い優先権を示す関連インジケータを、前記所定パーセンテージのターミナルの中で１以上のターミナルが有しているかどうかを、決定し、前記ブロードキャストデータを、前記決定された最大データ通信速度のうち前記最小値で伝送する、前記請求項２３に記載の無線通信システム。
【発明の詳細な説明】
【技術分野】
【０００１】
本発明は、概して通信システムに関し、特に、無線通信システムにおけるブロードキャストチャンネルの通信データ速度を制御する方法及びその装置に関係する。
【背景技術】
【０００２】
ブロードキャストサービスは、１以上のベーストランシーバサイト（base transceiver site）とこのベーストランシーバサイトのサービスエリア内のブロードキャストデータを受信する複数のアクセスターミナル（access terminal）との間の無線通信システムにおける、ポイントツマルチポイント（point-to-multipoint）通信サービスを提供する。ベーストランシーバサイトによって複数のアクセスターミナルに伝送されるブロードキャストデータ（即ち、コンテンツ）は、ニュース、映画、スポーツエベント、及び同様なものを、必ずしもこれらに限定される必要がないが、含むことが出来る。コンテンツは、一般的にはコンテンツサーバによって生成され、サービスエリア内のアクセスターミナルへのフォーワードリンク（forward link）のブロードキャストチャンネル（broadcast channel）により単一データ速度でアクセスターミナルにブロードキャストされる。
【０００３】
一般的に、アクセスターミナルがベーストランシーバサイトからより遠くに位置すればするほど、アクセスターミナルは、一般に、より低いデータ速度でフォーワードブロードキャストリンクに対応するであろう。反対に、アクセスターミナルがベーストランシーバサイトの近い範囲内に位置するときは、アクセスターミナルは、そこからのコンテンツブロードキャストを受信する、より高いデータ速度に一般的に対応する。従って、これらのより高いデータ速度アクセスターミナルによって認識されることが出来るより低いデータ速度は、そのサービスエリア内に存在する全てのアクセスターミナルにより対応されることが出来る、最も低いデータ速度を使用するコンテンツを典型的にブロードキャストするベーストランシーバサイトのために制限される。
【０００４】
より高いデータ速度に対応できるアクセスターミナルが非常に低いデータ速度でコンテンツを受信する結果として、より高いデータ速度に対応できるターミナルに関しては、より低いデータ速度アクセスターミナルへコンテンツを伝送するのに必要とされる最も低いデータ速度に対応することによって、通信リソース（例、ブロードキャストチャンネルのスロット）の重要な部分が非効率的に利用される。
【０００５】
本発明は、上記で示した１以上の問題を克服することを、或いは少なくとも影響を軽減することを対象とする。
【発明の開示】
【課題を解決するための手段】
【０００６】
本発明の一面においては、通信システムにおける送信機から複数のターミナルへのブロードキャストデータの通信方法が提供される。該方法は、前記複数のターミナルの各々に対し最大通信データ速度を決定し、前記決定された最大通信データ速度のうち最小値以外のブロードキャスト通信データ速度を選択することを含む。
【０００７】
本発明の別の面においては、通信システムにおける送信機から複数のターミナルへのデータ伝送方法が提供される。該方法は、データを第一通信データ速度で前記複数のターミナルに伝送し、前記送信機用の第二通信データ速度を決定することを含む。前記第二通信データ速度は、前記複数のターミナルの所定数が前記送信機から前記データを該第二通信データ速度で受信することから締め出されるように選択される。該方法は、前記第二通信データ速度で前記データを伝送することを更に含む。
【０００８】
本発明の別の面においては、通信システムにおける、送信機から複数のターミナルへのブロードキャストデータ通信のための装置が提供される。該装置は、前記複数のターミナルの各々に対し最大通信データ速度を決定する手段と、前記決定された最大通信データ速度のうち最小値以外のブロードキャスト通信データ速度を選択する手段と、を備える。
【０００９】
本発明の別の面においては、通信システムにおける、送信機から複数のターミナルへのデータ伝送を行う装置が提供される。該装置は、第一通信データ速度でデータを前記複数のターミナルに伝送する手段と、前記送信機用の第二通信データ速度を決定する手段と、を備える。前記第二通信データ速度は、前記複数のターミナルの内の所定の数が前記送信機から前記データを該第二通信データ速度で受信することから締め出されるように選択される。該装置は、前記第二通信データ速度で前記データを伝送する手段を更に含む。
【００１０】
本発明の別の面においては、無線通信システムが提供される。該無線通信システムは、１以上の送信機と、複数のターミナルと、前記複数のターミナルの各々に対し最大通信データ速度を決定するコントローラと、を備える。前記コントローラは、前記決定された最大通信データ速度のうち最小値以外のブロードキャスト通信データ速度を更に選択する。
【発明を実施するための最良の形態】
【００１１】
さて、図面を見ると、特に図１を参照すると、本発明の一実施例に従う、無線通信システム１００が示されている。無線通信システム１００は複数のアクセスターミナル（ＡＴ）１０５を備えており、該ＡＴ１０５は複数のベーストランシーバサイト（ＢＴＳ）１１０と通信し、該ＢＴＳ１１０は、それらが無線通信システム１００を行き来するとき、連続する通信サービスエリア（communication coverage）にアクセスターミナル１０５を用意するように地理的に分散して配置されている。
【００１２】
本実施例によれば、無線通信システム１００は、例えば、高速ブロードキャストサービス（ＨＳＢＳ）を提供するブロードキャスト無線通信システムの形式をとる。この特定の実施例においては、複数のベーストランシーバサイト（ＢＴＳ）１１０は、コンテンツ、例えば、ニュース、映画、スポーツエベント、及び同様な類等を無線通信チャンネル１１５で伝送する。アクセスターミナル１０５に伝送される前記特定のタイプのコンテンツは、多様な異なるタイプの情報を含んでもよく、従って、必ずしも上記の例に限定される必要がない、ということは十分理解されるであろう。
【００１３】
各ベーストランシーバサイト１１０は基地局コントローラ（ＢＳＣ）１２０に結合され、該基地局コントローラ（ＢＳＣ）１２０は、アクセスターミナル１０５が一つのベーストランシーバサイト１１０の通信サービスエリア１１８から別へ移動するとき、該アクセスターミナル１０５の通信を切り換えることが出来る。各ベーストランシーバサイト１１０のサービスエリア１１８は複数のセクター（図示されていない）に細分化されてもよく、アクセスターミナル１０５との通信は、当業者によく知られている多数のハンドオフスキーム（handoff scheme）の一つを使って、同じベーストランシーバサイト１１０で一セクターから別のセクターに切り換えることも出来る、ということは十分理解されるであろう。更に、通信は、本発明の精神と範囲を逸脱することなく、一ベーストランシーバサイト１１０の一セクターから別のトランシーバサイト１１０の別のセクターに切り換えられることも出来る、ということも又十分理解されるであろう。
【００１４】
ベーストランシーバサイト１１０は、通信リンク（communication link）１２５によって基地局コントローラ１２０に結合される。一実施例に従い、ベーストランシーバサイト１１０を基地局コントローラ１２０に結合する通信リンク１２５は、有線Ｅ１又はＴ１リンク（a wireline E1 or T1 link）の形式をとることが出来る。然しながら、通信リンク１２５は、マイクロウェーブ、光ファイバー、及び同様の類を含む、但しこれらに必ずしも限定されないが、多数の有線又は無線の通信媒体の中から任意のものを使って、代わりに実施されてもよいことは十分理解されるであろう。基地局コントローラ１２０は又、無線通信システム１００を、ベーストランシーバサイト１１０からアクセスターミナル１０５にブロードキャストされる予定のコンテンツを生成するかもしれないコンテンツサーバ（示されていない）にインターフェースをとって接続するために、ブロードキャストパケットデータサービングノードに（ＢＰＤＳＮ）（示されていない）結合される。基地局コントローラ１２０は又、無線通信システム１００の通信機能を拡張するために、種々様々の他のタイプのネットワーク、例えば、公衆交換電話網（a public switched telephone network）（ＰＳＴＮ）、包みデータサービングノード（a packed data serving node）（ＰＤＳＮ）、等に結合される。
【００１５】
ベーストランシーバサイト１１０及び基地局コントローラ１２０は、無線通信システム１００内で通信する複数のアクセスターミナル１０５にブロードキャストデータパケットを移送するための、無線通信システム１００の「アクセスネットワーク」（ＡＮ）を共同で形成する。無線通信システム１００を共同で形成する、アクセスターミナル１０５、ベーストランシーバサイト１１０、基地局コントローラ１２０の数はいろいろであってよく、従って、必ずしも、図１に図示されたアクセスネットワークコンポーネント（即ち、ベーストランシーバサイト１１０、基地局コントローラ１２０、等）の特定の数に限定される必要はない、ということは十分理解されるであろう。
【００１６】
本発明の一実施例においては、ベーストランシーバサイト１１０をアクセスターミナル１０５に通信上インターフェースで接続する無線通信チャンネル１１５は、無線周波数（ＲＦ）リンクの形式をとる。一実施例においては、ベーストランシーバサイト１１０及びアクセスターミナル１０５は、符号分割多元接続（ＣＤＭＡ）スキームに従って動作する。然しながら、無線通信システム１００は、本発明の精神及び範囲を逸脱することなく、種々様々な他の多元接続スキーム、例えば、時分割多元接続（ＴＤＮＡ）、周波数分割多元接続（ＦＤＭＡ）、及び同様の類などを利用できることを十分理解されるであろう。
【００１７】
一実施例によれば、無線通信チャンネル１１５は、複数のベーストランシーバサイト１１０からアクセスターミナル１０５にコンテンツをブロードキャストチャンネルでブロードキャストするためのフォーワードリンク（forward link）（ＦＬ）と、アクセスターミナル１０５からベーストランシーバサイト１１０にデータを伝送するためのリバースリンク（reverse link）（ＲＬ）とを備える。一実施例においては、リバースリンクは、信号トラフィックチャンネル（signaling traffic channel）とデータ速度コントロール（ＤＲＣ）チャンネルとを含んでいる。コンテンツをフォーワードリンクのブロードキャストチャンネルでブロードキャストするのに使用できるサポート可能なブロードキャストデータ速度を、無線通信システム１００に指示するデータ速度リクエストを介し、リバースリンクのデータ速度コントロール（ＤＲＣ）チャンネルは使用されることができる。
【００１８】
該実施例によれば、無線通信システム１００は、無線通信チャンネル１１５のフォーワードリンクで無線通信システム１００のアクセスターミナル１０５に伝送されるコンテンツのためのブロードキャスト通信データ速度を、動的に変える又は変更する（alter or change）ブロードキャストデータ速度コントローラ１４０を更に備える。ブロードキャストデータ速度コントローラ１４０がフォーワードリンク上のブロードキャストチャンネルのデータ速度を動的に変更する方法は、詳細な説明が続くので十分に理解されるであろう。
【００１９】
次に図２を参照すると、通信する複数のアクセスターミナル１０５（１）−（４）にサービスを行う、無線通信システム１００のベーストランシーバサイト１１０が本発明の一実施例に従い示されている。ベーストランシーバサイト１１０は、サービスエリア１１８内に位置する複数のアクセスターミナル１０５に無線通信チャンネル１１５のフォーワードリンクを使ってデータをブロードキャストする。一般的には、アクセスターミナル１０５がベーストランシーバサイト１１０に物理的により近くに位置すればするほど、アクセスターミナル１０５は、フォーワードリンクのブロードキャストチャンネルでより高速のデータ速度に対応できる。反対に、アクセスターミナル１０５がベーストランシーバサイト１１０からより遠くに位置すればするほど、アクセスターミナル１０５は、フォーワードリンクでより低速のデータ速度に一般的に対応する。当然ながら、これは無線通信伝送現象における理想的なモデルを前提としている、ということは十分理解されるであろう。即ち、ある物理的な境界（例、建物或いは人間の作った物件）及び／又は自然の地理学上の地形特性（例えば、丘、山、森、等）が、無線通信システム１００の範囲で無線伝送異常の原因となる可能性がある。従って、場合によっては、これらの無線伝送異常の結果として、受信能力が悪化する可能性があるので、地理的にはベーストランシーバサイト１１０により近く位置するアクセスターミナル１０５が、別のアクセスターミナル１０５（ベーストランシーバサイト１１０からより遠くに位置している）よりも低速の通信データ速度を使用しブロードキャストデータを受信することが必要となることがあり得る。
【００２０】
図２の実施例の説明図において、理想の無線伝送モデルを仮定すれば、サービスエリア１１８の境界２０５範囲内に（即ち、「高」データ速度帯域中に（in a ”high” data rate band））位置しているアクセスターミナル１０５(１)、(２)、及び（３）は、例えば、約６１４ｋｂｐｓの通信データ速度をサポート出来る可能性がある。境界２０５と境界２１０との間に位置するアクセスターミナル１０５は、約３０７ｋｂｐｓの通信データ速度（即ち、「中間」データ速度帯域中で）をサポート出来る可能性があり、境界２１０の外側に位置するアクセスターミナル１０５は、約１５３ｋｂｐｓの通信データ速度（即ち、「低」データ速度帯域中で）に対応出来る可能性がある。ここで提供される特定の通信データ速度は、説明の目的のみであることに十分理解されるであろう。従って、特定のベーストランシーバサイト１１０によって提供される通信データ速度は、上述の例から変わっても良い。更に、サービスエリア１１８の範囲内でのこれらのデータ速度帯域の実構成は単に説明の目的のみのためであることを十分に理解されるであろう。即ち、ベーストランシーバサイト１１０の近傍に近い範囲内に位置するアクセスターミナル１０５は、ベーストランシーバサイト１１０から遠い距離に位置するアクセスターミナル１０５よりもより高いデータ速度を一般的にはサポートする。然しながら、前述したように、無線伝送異常（何らかの人間が作った、及び／又は、自然の、例えば障害物に起因）が、無線通信システム１００の範囲内に存在するかもしれず、ここでは、ベーストランシーバサイト１１０からより遠い距離に位置するアクセスターミナル１０５が、ベーストランシーバサイト１１０のより近くに位置するアクセスターミナル１０５よりもより高いデータ速度をサポート出来る可能性がある。
【００２１】
ベーストランシーバサイト１１０は、ブロードキャストデータをフォーワードリンクのブロードキャストチャンネルを利用して、サービスエリア１１８の範囲内のアクセスターミナル１０５に、単一速度で伝送する。例えば、アクセスターミナル１０５(１)、(２)、及び（３）は、一般的には、アクセスターミナル１０５（４）よりもより高いデータ速度を受け入れることが出来る（ベーストランシーバサイト１１０にそれらがより近いため）のではあるが、サービスエリア１１８の「低」データ速度帯域におけるアクセスターミナル１０５（４）も又ブロードキャストデータを受信できるように、ベーストランシーバサイト１１０からブロードキャストアされるデータは全て、ブロードキャストチャンネルを利用して、より低い伝送速度１５３ｋｂｐｓ（実施例において）で伝送される。従って、アクセスターミナル１０５(１)、(２)、及び（３）がベーストランシーバサイト１１０からのより高いデータ速度に対応出来るので、「低」データ速度帯域におけるアクセスターミナル１０５（４）のためにより低いブロードキャストデータ速度に対応することによって、ベーストランシーバサイト１１０は、ブロードキャストデータを効率よく伝送していないであろう。
【００２２】
本発明の一実施例に従い、ベーストランシーバサイト１１０用のブロードチャンネルのデータ速度は、該ベーストランシーバサイト１１０に割り当てられた通信リソースを最適化するために特定のベーストランシーバサイト１１０のサービスエリア１１８内の選択セット（a select set）のアクセスターミナル１０５に対応するように、ブロードキャストアデータ速度コントローラによって動的に変えられる又は変更されることが可能である。言い換えれば、サービスエリア１１８中の特定の数或いはパーセンテージのアクセスターミナル１０５は、残りのアクセスターミナル１０５の通信動作を最適化するために、ブロードキャストデータを受信することから締め出されることが可能である。例えば、図２の実施例においては、サービスエリア１１８の「高」データ速度境界２０５内に位置し、６１４ｋｂｐｓ以下のデータ速度を理論上は受け入れることが出来る、３個のアクセスターミナル１０５（即ちアクセスターミナル１０５(１)、(２)、及び（３））がある。その他の残りのアクセスターミナル１０５（４）はサービスエリア１１８の境界２１０の外側の「低」データ速度帯域内に位置し、１５３ｋｂｐｓ以下のデータ速度を理論上は受け入れることが出来る。実施例においては、サービスエリア１１８内で通信する７５％のアクセスターミナル１０５が少なくとも６１４ｋｂｐのデータ速度を受け入れることが出来るので、選択セットの３個のアクセスターミナル１０５(１)、(２)、及び（３）に対応できるようにベーストランシーバサイト１１０用のブロードキャストチャンネルデータ速度を６１４ｋｂｐｓに適合し（従ってアクセスターミナル１０５（４）を除外し）、こうすることによって、サービスエリア１１８の「高」データ速度帯域内に存在するアクセスターミナル１０５(１)、(２)、及び（３）に割り当てられた通信リソースを最適化することが、望まれる。ベーストランシーバチャンネルサイト１１０のブロードキャストチャンネルのデータ速度を上げるか下げるかを決める前もって定義された条件は、種々の要因に基づく可能性がある。例えば、ブロードキャストチャンネルの通信データ速度を上げるか下げるかを決める前もって定義された条件は、特定データ速度に対応できる（即ち、ブロードキャストデータをその速度で受信できる）アクセスターミナル１０５の所定最小パーセンテージ（例、７０、８０、８６パーセント、等）の数に基づくかもしれない。或いは代わりに、前もって定義された条件は、特定データ速度でブロードキャストデータを受信できないアクセスターミナル１０５の所定数或いはパーセンテージに基づくかもしれない。図２に提供される例では、サービスエリア１１８内で通信出来る７５％のアクセスターミナルが、６１４ｋｂｐｓ以下の通信データ速度に対応できる「高」データ速度帯域内（即ち、サービスエリア１１８の境界２０５の内側）にある。従って、サービスエリア１１８の「高」データ速度帯域内で通信するアクセスターミナル１０５の密度が高いので、サービスエリア１１８内の７５％のアクセスターミナル１０５に対応できるようにベーストランシーバサイト１１０のブロードキャストデータ速度を増加し、そうすることによって、「高」データ速度帯域内に位置するこれらのアクセスターミナル１０５（即ち、アクセスターミナル１０５(１)、(２)、及び（３））に割り当てられた通信リソースを一層効率よく利用することが、より望ましい可能性がある。
【００２３】
予め定められた条件は上述の例から変わるかもしれないことは十分理解されるであろう。即ち、もし、所定パーセンテージ（例えば、８０パーセント）のアクセスターミナル１０５がサービスエリア１１８の境界２１０の外側の「低」データ速度帯域内にある場合には、そのときは、ベーストランシーバサイト１１０のブロードキャストデータ速度は、「低」データ速度帯域中にある高い割合のアクセスターミナル１０５に対応するように下げられる可能性がある。特定ブロードキャストデータ速度を受け入れることが出来るアクセスターミナルの数或いはパーセンテージは、サービスエリア１１８内での或いは別のベーストランシーバサイト１１０のサービスエリアへのアクセスターミナル１０５の潜在的な動きに対し対応できるように、ブロードキャストデータ速度コントローラ１４０によって調整される、ということが更に十分に理解されるであろう。例えば、後の時点で、アクセスターミナル１０５（１）及び１０５（３）が、「高」データ速度帯域から「低」データ速度帯域へと移動するかもしれない。この特定のシナリオでは、７５％のアクセスターミナル１０５が、今度は「低」データ速度帯域中に存在することとなり、従って、今度は「低」データ速度帯域内に存在する大部分のアクセスターミナル１０５に対応するように、ブロードキャストデータ速度コントローラ１４０がブロードキャストデータ速度を６１４ｋｂｐｓの高速度から１５３ｋｂｐｓの低速度に下げることがより望ましいであろう。
【００２４】
別の実施例では、ブロードキャストデータ速度コントローラ１０５が、ベーストランシーバサイト１１０のブロードキャストデータ速度を上げるか下げるかを決定する前に、アクセスターミナルの割り当てられた優先度要素（a priority factor）を考慮できるように、優先度要素が無線通信システム１００のアクセスターミナル１０５の各々に又はいくつかに割り当てられてもよい。図２の実施例においては、例えば、「低」データ速度帯域内に位置するアクセスターミナル１０５（４）は、前もって割り当てられた優先度要素（pre-assigned priority factor）を有し、それは、アクセスターミナル１０５（１）（２）及び１０５（３）のそれらよりも高いかもしれない。従って、この特定の実施例では、アクセスターミナル１０５（４）に割り当てられた優先度要素は、十分な重みを持ち、ベーストランシーバサイト１１０からサービスを受ける７５％のアクセスターミナルが図２に示されるように「高」データ速度（即ち、６１４ｋｂｐｓ）対応できるにもかかわらず、ブロードキャストデータ速度コントローラに、ベーストランシーバサイト１１０のブロードキャスト通信データ速度を「低」データ速度（即ち、１５３ｋｂｐｓ）に保持させることが出来る。特定のベーストランシーバサイト１１０のブロードキャストデータ速度を増加させるか減少させるかを決定するために、種々様々な基準（criteria）がブロードキャストデータコントローラ１４０によって使用されることが可能であり、従って、必ずしも上記例によって制限されない、ということは十分に理解されるであろう。
【００２５】
次に図３を参照すると、本発明の一実施例に従い、ブロードキャストデータ速度コントローラ１４０のより詳細な図が示されている。図示された実施例によれば、ブロードキャストデータ速度コントローラ１４０は、無線通信システム１００内のベーストランシーバサイト１１０の各々のブロードデータ速度が増加されるべきか減少されるべきか、或いは同一を維持すべきかを、１以上の予め定義された条件に基づき決定するブロードキャスト速度マネジャー３０５を備える。例えば、一実施例によれば、予め定義された条件とは、特定のベーストランシーバサイト１１０と通信する所定パーセンテージのアクセスターミナル１０５はフォーワードリンクのブロードキャストチャンネルの特定のデータ速度に対応できる可能性がある、というものであるかもしれない。一実施例に従い、ブロードキャスト速度マネジャー３０５は、特定ベーストランシーバサイト１１０のサービスエリア１１８内で通信するアクセスターミナル１０５から受信された現在の速度サンプルに基づき、特定ベーストランシーバサイト１１０用のブロードキャストチャンネルのデータ速度を増加させるか減少させるかを決定できる。
【００２６】
本発明の図示された実施例に従い、各アクセスターミナル１０５は、データ速度リクエストに応答して現在のブロードキャスト受信能力のサンプルを生成し、そのサンプルを無線通信チャンネル１１５のリバースリンクで、アクセスターミナル１０５に現在サービスを行っているベーストランシーバサイト１１０に送る。一実施例においては、もし、アクセスターミナル１０５が「トラフィック」（“traffic”）（即ち、ベーストランシーバサイト１１０と積極的に通信中）に従事している場合は、アクセスターミナル１０５は、無線通信チャンネル１１５のフォーワードリンクに組み込まれたブロードキャスト論理チャンネルを受信する。フォーワードリンクでブロードキャスト論理チャンネルを受信したことに応答し、アクセスターミナル１０５は、無線通信チャンネル１１５のリバースリンク上のトラフィックチャンネルで論理チャンネルに対する登録メッセージを送る。リバースリンクで登録メッセージを送る間、アクセスターミナル１０５は、アクセスターミナル１０５が対応できるベーストランシーバサイト１１０からのブロードキャストチャンネルでの最大データ速度を示す、ＤＲＣｓ（ｄａｔａ  ｒａｔｅ  ｃｏｎｔｒｏｌ）を生成する。
【００２７】
本発明の別の実施例に従い、もし、アクセスターミナル１０５が無線通信システム１００のベーストランシーバサイト１１０の一つと通信していない（即ち、アクセスターミナル１０５が「トラフィック」に従事していない）のでであれば、ベーストランシーバサイト１１０は、そのとき、フォーワードリンクのブロードキャスト論理チャンネルで「ウェィクアップ」信号（a ”wake-up” signal）をアクセスターミナル１０５に送ることが出来る。フォーワードリンクでベーストランシーバサイト１１０からウェィクアップ信号を受信すると、アクセスターミナル１０５は、リバースリンクのトラフィックチャンネルを開き、アクセスターミナル１０５によってブロードキャストチャンネルで維持され得るデータ速度を示すチャンネル情報、を含む信号情報を送る。本発明の一実施例においては、既に論じたように、チャンネル情報はデータ速度コントロール（ＤＲＣ）情報を含むことが出来る。然しながら、チャンネル情報は、本発明の精神及び範囲を逸脱することなく、代わりに、信号対雑音比（a signal-to-noise ratio）（ＳｉｎＲ）、搬送波対干渉比（a carrier-to-interference ratio）（Ｃ／Ｉ）、ベーストランシーバサイト１１０に対するアクセスターミナル１０５の地理学上の位置を提供するグローバルポジショニングサテライト（global positioning satellite）（ＧＰＳ）データ、同様な類、を含んでもよい。
【００２８】
特定のベーストランシーバサイト１１０のサービスエリア内のアクセスターミナル１０５から速度のサンプルを受信すると、ブロードキャスト速度マネジャー３０５は、特定のベーストランシーバサイト１１０のブロードキャストチャンネル用の現在のデータ速度をブロードキャストチャンネルコンフィギュレータ（a broadcast channel configurator）３１０から取得する。ブロードキャスト速度マネジャー３０５は、無線通信システム１００内のベーストランシーバサイト１１０の各々に対するブロードキャストデータ速度が増加されるべきか、減少されるべきか、或いは同じに維持すべきかを、１以上の予め定められた条件から決定する。例えば、もし、ベーストランシーバサイト１１０と通信するアクセスターミナル１０５の所定のパーセンテージ（例、７５％以上）が、ブロードキャストチャンネルコンフィギュレータ３１０により供給された該ベーストランシーバサイト用の現在のデータ速度（例、１５３ｋｂｐｓ）より高いブロードキャストデータ速度（例、６１４ｋｂｐｓ）に対応できる場合には、そのとき、ブロードキャストデータ速度マネジャー３０５は、例えば６１４ｋｂｐｓのより高いブロードキャスト速度で通信することが可能な多いパーセンテージのアクセスターミナル１０５に対応するように、ベーストランシーバサイト１１０のブロードキャストデータ速度を増加することを決定できる。然しながら、前に指摘したように、より高い（或いはより低い）データ速度を受け入れることが出来るアクセスターミナル１０５の特定の数或いはパーセンテージは、変わる可能性があり、従って、必ずしも上記の例に限定される必要が無い。更に又、特定のベーストランシーバサイト１１０のブロードキャストデータ速度を上げるか下げるかを決定するための予め定義された条件は、同様に変わる可能性がある。
【００２９】
特定のベーストランシーバサイト１１０用のブロードキャストデータ速度を変更するかどうかの決定の前に、ブロードキャスト速度マネジャー３０５は、所望のブロードキャストデータ速度でブロードキャストメディアコンテンツ（broadcast media content）を符号化することが可能かどうかも又決定できる。この決定を行うために、ブロードキャストデータ速度マネジャー３０５はブロードキャストコンテンツプロジューサ（broadcast content producer）３１５に対し、特定のベーストランシーバサイト１１０から伝送されたブロードキャストメディアを所望のブロードキャストデータ速度で符号化することが可能かどうかを決定するためにブロードキャストコンテンツメディアライブラリ３２０を調べることを（to query）指示する。一実施例においては、特定のブロードキャストメディア用に使用され得る最大データ速度は、ブロードキャストメディアコンテンツライブラリ３２０の中に保存される。もし、現在のブロードキャストメディアが特定のベーストランシーバサイト１１０用に所望されたブロードキャストデータ速度をサポート出来ると決定された場合には、ブロードキャスト速度マネジャー３０５は、特定のベーストランシーバサイト１１０のブロードキャストデータ速度を新しい所望のブロードキャストデータ速度に適合させるようにブロードキャストチャンネルコンフィギュレータ３１０に信号を送る。ブロードキャスト速度マネジャー３０５から信号を受け取ると、ブロードキャストチャンネルコンフィギュレータ３１０は、コントロール信号を、特定のベーストランシーバサイト１１０に、特定のベーストランシーバサイト１１０に結合されている基地局コントローラ１２０に、及び、ブロードキャストデータ速度マネジャー３０５によって指示された新しい所望のブロードキャストデータ速度でブロードキャストメディアを符号化するブロードキャストコンテンツプロジューサ３１５に、送る。
【００３０】
本発明の別の実施例に従い、ブロードキャスト速度マネジャー３０５は、無線通信システム１００のアクセスターミナル１０５の各々又はいくつかに対する特別優先度要素（a particular priority factor）を保存できるユーザプロファイルマネジャー３２５を調べることができる。例えば、特定のアクセスターミナル１０５に関連するユーザ、例えば会社のＣＥＯなどは、所定のブロードキャストデータを受信するのに、無線通信システム１００の他のユーザよりもより重要であると見なされる。従って、ブロードキャスト速度マネジャー３０５が、特定のベーストランシーバサイト１１０のブロードキャストチャンネルのデータ速度を上げるか下げるかを決定するために、優先度要素を使えることが出来るように、ユーザプロファイルマネジャー３２５は無線通信システム１００の各ユーザに関連した優先度要素を保存したかもしれない。例えば、一実施例においては、無線通信システム１００のユーザのアクセスターミナル１０５は、各々、最も高い優先度である１及び最も低い優先度である５を使って、１から５の優先度要素が割り当てられることができる。別の実施例においては、ユーザプロファイルマネジャー３２５内に保存された優先権「フラッグ」（a priority “flag”）が、特定のアクセスターミナル１０５或いはアクセスターミナル１０５のグループは、ユーザプロファイルマネジャー３２５内に保存された優先権フラッグ指示無しの無線通信システム１００内の他のアクセスターミナル１０５よりも優先する、ことを示すことが出来る。然しながら、無線通信システム１００内のアクセスターミナル１０５の中での優先度を示すために使用される優先度要素／フラッグ又はスケール（例、１から５）の指定は様々であり、従って、必ずしも上記の例に限定される必要はない、ということは十分理解されるであろう。
【００３１】
図２の例に、少し戻ると、もし、ユーザプロファイルマネジャー３２５が、例えば、アクセスターミナル１０５（４）用に「１」の優先度要素を保存し、そして、アクセスターミナル１０５（１）、（２）及び（３）が各々、例えば、優先度要素「４」を有する場合は、そのときは、ブロードキャスト速度マネジャー３０５は、ベーストランシーバサイト１１０用のブロードキャストデータ速度は６１４ｋｂｐｓの高いデータ伝送速度に増加させられるべきではないと決定出来る。即ち、そのより高い優先度要素のために、アクセスターミナル１０５の７５％が６１４ｋｂｐｓの高いデータ速度に対応できるという事実にもかかわらず、より高い優先度のアクセスターミナル１０５（４）用の１５３ｋｂｐｓの低い速度に対応することが望ましい可能性がある。
【００３２】
次に図４Ａ及び図４Ｂを参照すると、無線通信システム１００におけるブロードキャストチャンネルのデータ速度を制御するプロセスが、本発明の一実施例に従い示されている。ブロック４０５において、各アクセスターミナル１０５は、現在のブロードキャスト受信能力のサンプルを生成し、そのサンプルを無線通信チャンネル１１５のリバースリンクで、アクセスターミナル１０５に現在サービスを行っているトランシーバサイト１１０に送る。一実施例においては、もし、アクセスターミナル１０５が「トラフィック」に従事している（即ち、ベーストランシーバサイト１１０と積極的に通信している）のであるならば、アクセスターミナル１０５は、無線通信チャンネル１１５のフォーワードリンクに組み込まれているブロードキャスト論理チャンネルを受信する。フォーワードリンクでブロードキャスト論理チャンネルを受信したことに応答し、アクセスターミナル１０５は、無線通信チャンネル１１５のリバースリンク上のトラフィックチャンネルで、論理チャンネル用の登録メッセージを送る。リバースリンクで登録メッセージを送る間、アクセスターミナル１０５は、アクセスターミナル１０５がベーストランシーバサイト１１０からブロードキャストチャンネルで対応できる最大データ速度を示すＤＲＣs（data rate control）を発生する。本発明の別の実施例に従い、もし、アクセスターミナル１０５が無線通信システム１００のベーストランシーバサイト１１０の１つと通信していない（即ち、アクセスターミナル１０５が「トラフィック」に従事していない）のであるならば、ベーストランシーバサイト１１０は、そのとき、フォーワードリンクのブロードキャスト論理チャンネルでアクセスターミナル１０５に「ウェィクアップ」信号を送る。フォーワードリンクでベーストランシーバサイト１１０から「ウェィクアップ」信号を受信すると、アクセスターミナル１０５は、リバースリンク上のトラフィックチャンネルを開き、アクセスターミナル１０５によって維持され得るデータ速度を示すチャンネル情報を含む信号メッセージを送ることが出来る。本発明の一実施例においては、チャンネル情報は、前に論じたように、データ速度コントロール（ＤＲＣ）を含んでもよい。然しながら、チャンネル情報は、代わりに、信号対雑音比（ＳｉｎＲ）、搬送波対干渉比（Ｃ／Ｉ）、ベーストランシーバサイト１１０に対するアクセスターミナル１０５の地理学上の位置を提供するグローバルポジショニングサテライト（ＧＰＳ）データ、及び同様な類、を含んでもよい、ということは十分理解されるであろう。
【００３３】
アクセスターミナル１０５からブロードキャストデータ速度サンプルを受信すると、ベーストランシーバサイト１１０は、特定のアクセスターミナル１０５用のサンプルを基地局コントローラ１２０に転送する。基地局コントローラ１２０は、アクセスターミナル１０５のブロードキャストデータ速度サンプルを受信後、サンプルをブロードキャスト速度マネジャー３０５に送る。ブロードキャスト速度マネジャー３０５は、ブロック４１０で、無線通信システム１００において通信を行っているアクセスターミナル１０５からサンプルを収集する。
【００３４】
本発明の別の実施例においては、ベーストランシーバサイト１１０は、その特定の通信サービスエリア内のアクセスターミナル１０５からのサンプルを、収集のために、直接にブロードキャスト速度マネジャー３０５に送ることが出来る。特定のベーストランシーバサイト１１０によってサービスを受けるアクセスターミナル１０５からの種々様々なブロードキャストデータ速度を収集すると、ブロードキャスト速度マネジャー３０５は、ブロック４１５で、ブロードキャストチャンネル上の特定のベーストランシーバサイト１１０用に使用されている現在のデータ速度に関しブロードキャストチャンネルコンフィギュレータ３１０を調べる。
【００３５】
ブロック４２０で、ブロードキャストマネジャー３０５は、ブロードキャストチャンネルコンフィギュレータ３１０によって供給された、特定のベーストランシーバサイト１１０用の現在のブロードキャストデータ速度と、ベーストランシーバサイト１１０と通信するアクセスターミナル１０５によって供給された現在のブロードキャストデータ速度サンプルとを比較する。この比較に基づき、ブロードキャストデータ速度マネジャー３０５は、特定のベーストランシーバサイト１１０用のブロードキャストデータ速度が、一以上の予め定義された条件に基づき現在のブロードキャストデータ速度よりも高くあるべきか或いは低くあるべきか、を決定する。本発明の一実施例に従い、そのような決定は、特定のベーストランシーバサイト１１０によりサービスを受ける所定のパーセンテージ以上のアクセスターミナル１０５が、ベーストランシーバサイト１１０によって使用されている現在のブロードキャストデータ速度よりもより高いブロードキャストデータ速度に対応できる時に、起こる。本発明の一実施例に従い、より高いブロードキャストデータ速度に対応できるアクセスターミナル１０５の所定パーセンテージは、例えば、７５％以上かもしれない。然しながら、アクセスターミナル１０５の所定のパーセンテージは変わってもよく、従って、必ずしも上記の例に限定される必要はない、ということは十分理解されるであろう。更に、ブロードキャスト速度マネジャー３０５は、前に論じたように、ベーストランシーバサイト１１０のデータ速度を上げるか下げるかを決定するために、１以上のアクセスターミナル１０５に割り当てられた優先度要素（ユーザプロファイルマネジャー３５に保存されている）を考慮に入れることが出来る。
【００３６】
ブロック４２５では、特定のベーストランシーバサイト１１０のブロードキャストチャンネル用のデータ速度は現在のデータ速度よりもより高く或いはより低くあるべきであるとブロードキャスト速度マネジャー３０５が決定したならば、ブロードキャスト速度マネジャー３０５は、所望のブロードキャストデータ速度で、ブロードキャストコンテンツメディアが符号化されてもよいかどうか決定する。ブロック４３０では、ブロードキャスト速度マネジャー３０５は、ベーストランシーバサイト１１０のブロードキャストデータ速度を、ブロック４２０で決定された所望のブロードキャストデータ速度に変更するかどうかを決定する。もし、ブロードキャスト速度マネジャー３０５が、コンテンツブロードキャストがベーストランシーバサイト１１０によって新しい所望のデータ速度（ブロック４２５で決定されたような）で符号化されるはずがないために、ベーストランシーバサイト１１０の現在のデータ速度を所望の速度に変更しない場合には、プロセスはブロック４０５に戻る。然しながら、もし、ブロードキャスト速度マネジャー３０５が、ベーストランシーバサイト１１０の現在のデータ速度（即ち、第一データ速度）を新しい所望のデータ速度（即ち、第二データ速度）に変更する場合は、プロセスはブロック４３５に続き、ここでは、ブロードキャストチャンネルコンフィギュレータ３１０は、コンテンツを新しい所望のデータ速度（即ち、第二データ速度）でブロードキャストするように、ベーストランシーバサイト１１０、基地局コントローラ１２０、及びブロードキャストコンテンツプロジューサ３１５にコントロール信号を送る。
【００３７】
ブロック４４０では、ブロードキャストコンテンツプロジューサ３１５は、ベーストランシーバサイト１１０によって伝送されているコンテンツが、ブロードキャストコンテンツメディアライブラリ３２０中の記憶装置に基づき、新しい所望のデータ速度で既に符号化されているかどうか、を決定する。ブロック４４５では、ブロードキャストコンテンツプロジューサ３１５は、ベーストランシーバサイト１１０によるアクセスターミナル１０５への伝送のため、（コンテンツが既に新所望の速度で符号化されており又トコンテンツメディアライブラリ３２０内で保存されているかどうかに依存して）新しい所望のデータ速度でコンテンツを生成するか又は符号化する。
【００３８】
当業者は、情報及び信号は、種々様々な異なる技術及び技法の任意のものを使用して表わされることが出来ることを、理解するであろう。例えば、上記説明をとおして参照され得る、データ、指示、コマンド、情報、信号、ビット、シンボル、及びチップは、電圧、電流、電磁波、磁場あるいはパーティクル、光場あるいはパーティクル、或いはこれらの任意の組み合わせ、によって表されることが出来る。
【００３９】
当業者は、ここに開示された実施例に関連して説明された、種々様々な図示された論理ブロック図、モジュール、回路、及びアルゴリズムステップは、電子ハードウェア、コンピュータソフトウェア、或いは両方の組み合わせとして実施され得ることを、更に理解するであろう。このハードウェアとソフトウェアとの交換性を明確に例証するために、種々様々な説明的な部品、ブロック図、モジュール、回路、及びステップが、概してそれらの機能性の観点から以上において説明されている。そのような機能性がハードウェア或いはソフトウェアとして実施されるかどうかは、特定のアプリケーション及び全体のシステムに課せられる設計上の制限に依存する。熟練した職人は、各特定のアプリケーションに対し、説明された機能性を様々な方法で実施するかもしれないが、しかし、そのような実施の決定は、本発明の範囲から逸脱させる原因として解釈されるべきでない。
【００４０】
ここで開示された実施例に関連して説明された、種々の説明的な論理ブロック図、モジュール、及び回路は、汎用プロセッサー、デジタル信号プロセッサー（ＤＳＰ）、特定用途向けＩＣ（ＡＳＩＣ）、フィールドプログラマブルゲートアレー（ＦＰＧＡ）、或いは他のプログラマブル論理回路、ディスクリートゲート或いはトランジスター論理、ディスクリートハードウェア部品、或いはここで説明された機能を達成するように設計されたこれらの任意の組み合わせと共に実施或いは実行されることが出来る。汎用プロセッサーは、マイクロプロセッサーであってもよい、しかし別の例においては、プロセッサーは、任意の従来のプロセッサー、コントローラ、マイクロコントローラ、或いは状態機械でもよい。プロセッサーは又、計算装置の組み合わせ、例えばＤＳＰとマイクロプロセッサーとの組み合わせ、複数のマイクロプロセッサー、ＤＳＰコアと併用された１以上のマイクロプロセッサー、或いは任意の他のそのような構成（configuration）として実施されることが出来る。
【００４１】
ここで開示された実施例と関連して説明された方法或いはアルゴリズムのステップは、ハードウェアで直接的に、プロセッサーによって実行されるソフトウェアモジュールで、或いは、上記２つの組み合わせで実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、或いは本技術分野で知られている記憶媒体の任意の他の形態、に常駐してもよい。プロセッサーが記憶媒体、から情報を読み出し、に情報を書き込めるように、一例の記憶媒体は、プロセッサーに結合される。別の例では、記憶媒体はプロセッサーに内蔵されてもよい。プロセッサーと記憶媒体はＡＳＩＣに常駐してもよい。ＡＳＩＣはユーザーターミナルに常駐してもよい。別の例では、プロセッサーと記憶媒体は、ユーザーターミナル中にディスクリート部品として常駐してもよい。
【００４２】
開示された実施例の以上の説明は、当業者の誰もが本発明を作り又は使用できるように提供されている。これら実施例の種々様々の変形は当業者には容易に明らかであり、ここに定義された包括的な原理は本発明の精神或いは範囲を逸脱することなく他の実施例に適用されることが出来る。従って、本発明は、ここで示された実施例に限定されるように意図されてはおらず、ここに開示された原理及び新規な特徴と矛盾しない、最も広い範囲が与えられるべきものである。
【図面の簡単な説明】
【００４３】
【図１】図１は、本発明の一実施例に従う、ブロードキャストデータ速度コントローラを使用した無線通信システムのブロック図である。
【図２】図２は、本発明の一実施例に従う図１の無線通信システムの特定のサービスエアリアをより詳細に図示したものを示す。
【図３】図３は、本発明の一実施例による図１のブロードキャストデータ速度コントローラをより詳細に図示したものである。
【図４Ａ】図４Ａは、本発明の一実施例に従う無線通信システムにおけるブロードキャストチャンネルのデータ速度を制御するプロセスフローチャートを示す。
【図４Ｂ】図４Ｂは、本発明の一実施例に従う無線通信システムにおけるブロードキャストチャンネルのデータ速度を制御するプロセスフローチャートを示す。
【図１】
0004510009.tif 000002
【図２】
0004510009.tif 000003
【図３】
0004510009.tif 000004
【図４Ａ】
0004510009.tif 000005
【図４Ｂ】
0004510009.tif 000006